(57)【特許請求の範囲】
【請求項１】
複数のナースコール子機が接続されたナースコール親機と、複数の端末が無線で接続された無線基地局と、交換機とからなるナースコールシステムであって、
前記交換機は、呼び出す複数の端末の情報がナースコール親機から入力される入力手段と、
無線基地局に接続されるコードレス電話基地局インタフェース回路と、
入力手段に入力された複数の端末の順序を呼び出し順序に変更し、呼び出し順序で端末の情報をコードレス電話基地局インタフェース回路に送信する端末情報順序変更手段と、
端末情報順序変更手段がコードレス電話基地局インタフェース回路に送信した順番に端末を呼び出す端末呼び出し手段とを備え、
端末情報順序変更手段は、
入力手段に入力された順番に各端末の情報にアドレスを割り当てるアドレス割り当て手段と、
アドレスを変換する規則である変換則にしたがってアドレス割り当て手段によって各端末の情報に割り当てられたアドレスを変換し変換後のアドレスに各端末の情報を記憶する情報書き込み手段と、
情報書き込み手段が記憶した情報をアドレス割り当て手段が割り当てるアドレスの順番に読み出す情報読み出し手段と、
情報読み出し手段が読み出した端末の情報を受信し、コードレス電話基地局インタフェース回路に送信する手段と、
変換則を変更する手段とを備えたことを
特徴とするナースコールシステム。
【請求項２】
変換則を変更する手段は、ナースコール子機がナースコールを行う度に変換則を変更することを特徴とする請求項１記載のナースコールシステム。
【発明の詳細な説明】
【０００１】
【発明の属する技術分野】
本発明は、ナースコールを行う度に複数の端末の呼び出し順序を変更するナースコールシステムに関する。
【０００２】
【従来の技術】
病院施設内での患者と看護婦または医師（以下看護婦等と記す。）との連絡には、ナースコールシステムが用いられている。ナースコールシステムでは、患者が持つナースコール子機と看護婦等が持つコードレス電話との間で通話を行う方法が採用されることがある。このようなシステムでは、ナースコール子機とコードレス電話の通話は、ナースコール子機が接続されるナースコール親機、ナースコール親機が接続される電子構内交換機、電子構内交換機に接続されるコードレス電話基地局を介して行われる。
【０００３】
あるナースコール子機がナースコールを行った場合、そのナースコール子機が接続されているナースコール親機は、複数のコードレス電話を指定し、電子構内交換機に指定したコードレス電話の呼び出し信号を送信する。例えば、コードレス電話Ａないしコードレス電話Ｈまでの８台を指定し、この８台のコードレス電話の呼び出し信号を電子構内交換機に送信する。このとき、電子構内交換機は、ナースコール親機から呼び出し信号を受信した順番にコードレス電話を呼び出す。例えば、最初にコードレス電話Ａを呼び出し、最後にコードレス電話Ｈを呼び出す。その結果、各コードレス電話が呼び出される時間に差が生じる。また、コードレス電話Ａないしコードレス電話Ｈのいずれかが呼び出しに応答すると、電子構内交換機は各コードレス電話に対する呼び出しを停止する。
【０００４】
【発明が解決しようとする課題】
ところで、看護婦等はナースコールがあった場合に即時応答が要求されるので、呼び出される順番が早いコードレス電話を持つ看護婦等は、呼び出しがあるとすぐに応答する。このため、呼び出される順番が遅いコードレス電話を持つ看護婦等にとっては、呼び出しに応答する前に呼び出しが停止するという状況が発生する。よって、持つコードレス電話によって看護婦等の負荷に差が生じ、上記例の場合、コードレス電話Ａを持つ看護婦等の負荷が最も高く、コードレス電話Ｈを持つ看護婦等の負荷が最も低くなりやすい。
【０００５】
上記の問題は、ナースコールの度にコードレス電話の呼び出し順序を変更することにより解決することができる。しかし、コードレス電話を呼び出す制御自体を変更すると、制御が複雑化してしまう。したがって、従来の呼び出し制御を変更せずにコードレス電話の呼び出し順序を変更することが望ましい。
【０００６】
本発明は、ナースコール子機が複数のコードレス電話にナースコールを行う場合に、複数のコードレス電話の呼び出し順序を変更し、コードレス電話を持つ看護婦等の負荷を分散するナースコールシステムを提供することを目的とする。
【０００７】
【課題を解決するための手段】
本発明によるナースコールシステムは、複数のナースコール子機が接続されたナースコール親機と、複数の端末が無線で接続された無線基地局と、交換機とにより構成され、交換機は、呼び出す複数の端末の情報がナースコール親機から入力される入力手段と、無線基地局に接続されるコードレス電話基地局インタフェース回路と、入力手段に入力された複数の端末の順序を呼び出し順序に変更し、呼び出し順序で端末の情報をコードレス電話基地局インタフェース回路に送信する端末情報順序変更手段と、端末情報順序変更手段がコードレス電話基地局インタフェース回路に送信した順番に端末を呼び出す端末呼び出し手段とを備え、端末情報順序変更手段は、入力手段に入力された順番に各端末の情報にアドレスを割り当てるアドレス割り当て手段と、アドレスを変換する規則である変換則にしたがってアドレス割り当て手段によって各端末の情報に割り当てられたアドレスを変換し変換後のアドレスに各端末の情報を記憶する情報書き込み手段と、情報書き込み手段が記憶した情報をアドレス割り当て手段が割り当てるアドレスの順番に読み出す情報読み出し手段と、情報読み出し手段が読み出した端末の情報を受信し、コードレス電話基地局インタフェース回路に送信する手段と、変換則を変更する手段とを備えたことを特徴とする。
【０００９】
変換則を変更する手段は、ナースコール子機がナースコールを行う度に変換則を変更してもよい。このように変換則を変更すれば、ナースコール子機がナースコールを行う度に端末が呼び出される順番が変化するので、端末の呼び出しに対応する看護婦等の負荷をより分散することができる。
【００１０】
【発明の実施の形態】
以下、本発明の実施の形態を図面を参照して説明する。
図１は、本発明によるナースコールシステムの実施の一形態を示すブロック図である。各ナースコール子機１、２はナースコール親機３に接続される。ナースコール子機１、２はナースコールを行う機能を備え、ナースコールを行う場合はコードレス電話との接続要求をナースコール親機３に通知する。図１では、ナースコール子機を２台示しているが、３台以上のナースコール子機を備える構成であってもよい。
【００１１】
ナースコール親機３は、ナースコール子機から通知を受けると、どのナースコール子機が通知したのかを検知する。続いて、ナースコール親機３は、電子構内交換機４に収容されている複数のコードレス電話を指定して、呼び出し信号を電子構内交換機４に送信する。呼び出し信号は、呼び出すべき複数のコードレス電話の情報を示す信号である。図１では、ナースコール親機を１台示しているが、２台以上のナースコール親機を備える構成であってもよい。
【００１２】
電子構内交換機４は、中央処理装置５、ナースコールインタフェース回路６、コードレス電話基地局インタフェース回路７、時分割スイッチ８により構成される。
【００１３】
中央処理装置５は、電子構内交換機４全体を制御する。
ナースコールインタフェース回路６は、ナースコール親機３からコードレス電話の呼び出し信号を受信し、受信した呼び出し信号が示す複数のコードレス電話の順序を呼び出し順序に変更する。続いて、ナースコールインタフェース回路６は、呼び出すコードレス電話の情報を、変更した順序で中央処理装置５を介してコードレス電話基地局インタフェース回路７に出力する。中央処理装置５は、ナースコールインタフェース回路６が出力した情報の順番にしたがい、ナースコール親機３に指定されたコードレス電話の呼び出しを行う。
【００１４】
呼び出したコードレス電話のうちいずれかが応答すると、中央処理装置５は各コードレス電話に対する呼び出しを停止する。また、中央処理装置５は、時分割スイッチ８を制御して時分割多重通信による通話路を確立させる。
【００１５】
コードレス電話基地局９、１０は、電子構内交換機４のコードレス電話基地局インタフェース回路７に接続され、また各コードレス電話と無線による通信を行う。図１では、コードレス電話基地局を２台示しているが、３台以上備える構成であってもよい。同様に、図１ではコードレス電話をコードレス電話１１ないし１８として８台示しているが、７台以下を備える構成であっても、９台以上備える構成であってもよい。
【００１６】
次に、ナースコールインタフェース回路６の構成を説明する。ナースコールインタフェース回路６は、ナースコール親機３から受信した呼び出し信号が示す複数のコードレス電話の順序を変更し、変更した順序にしたがって情報をコードレス電話基地局インタフェース回路７に出力する。
【００１７】
図２は、ナースコールインタフェース回路６の実施の一形態を示すブロック図である。ナースコールインタフェース回路６は、インタフェース回路２０、記憶装置２１、処理装置２２、アドレス変換回路２３から構成される。ナースコールインタフェース回路６内の回路は、データバス２４、アドレスバス２５、制御バス２６を介して接続されている。ただし、アドレス変換回路２３は、データを扱わないのでデータバスに接続されなくてもよい。命令は、例えば、アドレスバスを流れるが、命令を流すための命令バスを設けてもよい。なお、制御バス２６ａは書き込み信号を伝える経路、制御バス２６ｂは読み出し信号を伝える経路を示す。
【００１８】
インタフェース回路２０は、ナースコール親機３から呼び出すべきコードレス電話の情報を受信し、受信した順に情報を処理装置２２に送信する。また、処理装置２２が記憶装置２１から読み出したコードレス電話の情報を受信し、中央処理装置５を介してコードレス電話基地局インタフェース回路７に送信する。
【００１９】
処理装置２２は、インタフェース回路２０から受信したコードレス電話の情報にこの情報を記憶するアドレスを割り当て、このアドレスをアドレス変換回路２３を介して記憶装置２１に指示し、記憶装置２１にコードレス電話の情報を書き込む。また、コードレス電話の情報を記憶しているアドレスをアドレス変換回路２３を介して記憶装置２１に指示し、そのアドレスに記憶されている情報を記憶装置２１から読み出す。処理装置２２は、アドレスバス２５でアドレス信号を送信することによりアドレスを指示する。また、処理装置２２は、記憶装置２１に情報を書き込むときは記憶装置２１およびアドレス変換回路２３に対して、制御バス２６により書き込み信号を送信する。同様に、記憶装置２１から情報を読み出すときは記憶装置２１およびアドレス変換回路２３に対して、制御バス２６により読み出し信号を送信する。
【００２０】
処理装置２２が記憶装置２１への書き込みを指示するために割り当てるアドレスの順序と、読み出しを指示するアドレスの順序は同じ順序である。例えば、アドレス”００”、”０１”、”０２”、”０３”、”０４”、”０５”、”０６”、”０７”という順序で情報にアドレスを割り当てる場合、読み出すときの順番もアドレス”００”の情報を最初に読み出し、アドレス”０７”の情報を最後に読み出すよう指示する。
【００２１】
処理装置２２は、記憶装置２１からコードレス電話の情報を読み出したときは、その情報をインタフェース回路２０に送信する。
【００２２】
記憶装置２１は、アドレス変換回路２３から指示されたアドレスに、処理装置２２から送信されるコードレス電話の情報を書き込む。また、アドレス変換回路２３から指示されたアドレスに記憶されたコードレス電話の情報を読み出して、処理装置２２に送信する。
【００２３】
アドレス変換回路２３は、処理装置２２からアドレスの指示をアドレス信号として受信し、アドレス信号を記憶装置２１に送信する。ここで、処理装置２２からアドレス信号を受信するときには、同時に書き込み信号、読み出し信号のいずれかを受信する。アドレス変換回路２３は、書き込み信号を受信した場合、アドレスを変換する規則である変換則にしたがってアドレス信号を変換して記憶装置２１に送信する。また、読み出し信号を受信した場合には、アドレス信号を変換せずそのまま記憶装置２１に送信する。アドレス変換回路２３の構成については後述する。
【００２４】
処理装置２２がアドレス変換回路２３を介してアドレスを記憶装置２１に指示し、記憶装置２１にコードレス電話の情報を書き込むときには、上記のようにアドレス信号が変換される。したがって、実際に処理装置２２が指示したアドレスとは異なるアドレスに情報が書き込まれることになる。例えば、処理装置２２がアドレス”００”に”コードレス電話１１”という情報を書き込むようにアドレス信号”００”を送信しても、アドレス信号”００”はアドレス変換回路２３において別のアドレス信号（例えば、”０１”）に変換され、アドレス”０１”に”コードレス電話１１”という情報が書き込まれることになる。
【００２５】
また、処理装置２２がアドレス変換回路２３を介して記憶装置２１にアドレスを指示し、そのアドレスに記憶されている情報を記憶装置２１から読み出すときには、アドレス信号はアドレス変換回路２３で変換されない。したがって、実際に処理装置２２が指示したアドレスから情報が読み出されることになる。
【００２６】
次に、呼び出すコードレス電話の情報を処理装置２２が記憶装置２１に書き込むときの各部の動作の例について説明する。まず、処理装置２２が、呼び出すべきコードレス電話の情報をインタフェース回路２０から受信する。例えば、コードレス電話１１を呼び出すという情報を受信する。次に、処理装置２２は、”コードレス電話１１”という情報をあるアドレス（例えば、アドレス”００”）に書き込むべく、アドレス信号と書き込み信号をアドレス変換回路２３に送信する。上記例の場合、アドレス信号”００”と書き込み信号をアドレス変換回路２３に送信する。
【００２７】
また、処理装置２２は、書き込むべき情報（例えば、”コードレス電話１１”）と書き込み信号を記憶装置２１に送信する。記憶装置２１は、この情報を処理装置２２から受信する。
【００２８】
アドレス信号（例えば、”００”）を受信したアドレス変換回路２３は、書き込み信号も受信しているので、アドレス信号を変換則にしたがい変換し、変換したアドレス信号（例えば、”０１”）を記憶装置２１に送信する。
【００２９】
記憶装置２１は、アドレス変換回路２３からアドレス信号を受信し、このアドレスに処理装置２２から受信した情報を記憶する。上記の例の場合、処理装置２２は、アドレス”００”に”コードレス電話１１”という情報を書き込むべくアドレス信号を送信したが、実際にはアドレス”０１”に”コードレス電話１１”という情報を記憶することとなる。
【００３０】
処理装置２２は、以上の動作を繰り返して、呼び出すコードレス電話として記憶すべき情報を全て記憶装置２１に記憶する。
【００３１】
図３に、アドレス変換回路２３におけるアドレス変換の例を示す。図３の左図は、左側の変換前アドレスが右側の変換後アドレスに変換されるという変換則を示している。図３の中央図は、処理装置２２が指示したアドレスと情報の対応であるが、変換則にしたがいアドレスが変換されるため、実際には図３右図に示す対応で情報が記憶装置２１に書き込まれる。
【００３２】
また、変換則は呼び出し処理が行われた後に変更される。例えば、呼び出すべき複数のコードレス電話を全て呼び出した後に変更される。したがって、次のナースコール時においては、前回のナースコール時の変換則とは異なる変換則によってコードレス電話の情報が記憶装置２１に書き込まれる。変換則の変更は、複数のコードレス電話を全て呼び出したときではなく、いずれかのコードレス電話が応答したときや、通話が完了したとき、または次のナースコール時に処理装置２２が記憶装置２１に情報を書き込む前に行ってもよい。また、ナースコールの度に変換則を変更するのではなく、ナースコールが複数回行われる度に変換則を変更してもよい。
【００３３】
変換則を変更する場合、まず、中央処理装置５が変換則を変更すべきタイミングか否かを判断し（例えば、複数のコードレス電話を全て呼び出したか否か等を判断し）、変更すべきならば変換則変更命令を処理装置２２に送信する。さらに処理装置２２がアドレス変更回路２３に変換則変更命令を送信し、変換則変更命令を受信したアドレス変換回路２３が変換則を変更する。
【００３４】
変換則は、各アドレスに記憶される情報が読み出される順番に偏りがないように順次変更される。例えば、”０７”を”００”として変換した場合、処理装置２２がアドレス”０７”に記憶すべく送信した情報が最初に読み出されることになるので、次に変換則を変更するときは”０６”を”００”に変換するような変更が望ましい。変換則を変更する場合、このような変更を繰り返す。また、変換則は、図４に示すように、変換の前後でアドレスが変換しないものであってもよい。
【００３５】
処理装置２２は、情報を記憶装置２１に書き込んだ後に、書き込んだ情報を読み出す。呼び出すコードレス電話の情報を処理装置２２が記憶装置２１から読み出すときの各部の動作の例について説明する。まず、処理装置２２が、読み出すコードレス電話の情報のアドレス信号（例えば、アドレス信号”００”）と読み出し信号をアドレス変換回路２３に送信する。アドレス信号を受信したアドレス変換回路２３は、読み出し信号を受信しているのでアドレス信号を変換せず、そのまま記憶装置２１に送信する。
【００３６】
また、処理装置２２は、記憶装置２１に対しても読み出し信号を送信する。アドレス信号と読み出し信号を受信した記憶装置２１は、そのアドレスに記憶したコードレス電話の情報を処理装置２２に送信する。記憶装置２１が受信するアドレス信号は、処理装置２２が送信したアドレス信号と同一である。したがって、上記の例の場合、アドレス”００”に記憶したコードレス電話の情報を処理装置２２に送信する。
【００３７】
処理装置２２は、記憶装置２１から受信した情報をインタフェース回路２０に送信する。処理装置２２は、以上の動作を繰り返して、記憶装置２１から呼び出すべきコードレス電話の情報を全て読み出してインタフェース回路２０に送信する。
【００３８】
上記のような、記憶装置２１への書き込みおよび記憶装置２１からの読み出しを行った場合、処理装置２２が書き込む情報の順序と読み出す情報の順序は原則として異なる。（図４に示す変換の前後でアドレスが変換しない変換則を用いた場合は異ならない。）図３に示す例において、アドレスを”００”から昇順に割り当てる場合、処理装置２２は”コードレス電話１１”の情報から書き込むが、”コードレス電話１８”から読み出す。この読み出し順序は、変換則によって変わり、また変換則はナースコールの度に変更される。したがって、ナースコール親機３から受信するコードレス電話の情報の順序が同じであっても、ナースコールの度に呼び出すコードレス電話の順序を変えることができ、その結果、特定のコードレス電話を持った看護婦等に負荷が集中することはなくなる。
【００３９】
なお、一回目のナースコールと二回目のナースコールで呼び出すコードレス電話が異なる場合や、呼び出すコードレス電話の数が変化する場合であっても、アドレス変換回路２３の動作は変わらない。例えば、一回目にコードレス電話１１ないしコードレス電話１８を呼び出し、二回目に別のコードレス電話を呼び出しても、二回目のナースコールでは一回目と二回目の間に変更された変換則にしたがってアドレス変換を行う。また、一回目にコードレス電話１１ないしコードレス電話１６を呼び出し、二回目にコードレス電話１１ないしコードレス電話１８を呼び出す場合であっても、一回目には例えば図３に示す変換則にしたがい、二回目は変更された変換則にしたがいアドレスを変換する。
【００４０】
本発明において、処理装置２２は、従来の技術と同様の動作を行っている。すなわち、受信した順番にコードレス電話の情報をアドレス信号とともに送信して、記憶装置２１に書き込み、書き込み時のアドレス順にコードレス電話の情報を読み出すという動作は従来と変わらない。しかし、アドレス変更回路２３によって書き込み時のアドレスを変更することで、ナースコールの度に呼び出すコードレス電話の順序を変えることができる。したがって、ナースコールインタフェース回路６がアドレス変換回路２３を備える構成とすれば、処理装置２２の書き込みおよび読み出しの制御は変更する必要はない。
【００４１】
続いて、アドレス変換回路２３の構成について説明する。図５は、アドレス変換回路２３の実施の一形態を示すブロック図である。アドレス変換回路２３は、アドレス選択部３０、アドレス変換部３１、順序変更制御部３２により構成される。
【００４２】
アドレス変換部３１は、アドレスバス２５を介して処理装置２２からアドレス信号を受信し、変換則にしたがい受信したアドレス信号を変換する。続いて、変換後のアドレス信号をアドレス選択部３０に送信する。変換則は、順序変更制御部３２により変更される。
【００４３】
アドレス選択部３０は、処理装置２２からアドレス信号および書き込み信号または読み出し信号を受信し、また、アドレス変換部３１から変換したアドレス信号を受信する。アドレス選択部３０は、書き込み信号を受信した場合はアドレス変換部３１から受信した変換後のアドレス信号を選択し、記憶装置２１に送信する。また、読み出し信号を受信した場合は処理装置２２から受信したアドレス信号を選択し、記憶装置２１に送信する。
【００４４】
順序変更制御部３２は、中央処理装置５が送信した変換則変更命令を、処理装置２２を介して受信したときに、アドレス変換部３１の変換則を変更する。変換則変更命令は、アドレスバス２５を介して流されるが、変換則変更命令を流す命令バスを設けてもよい。
【００４５】
【発明の効果】
本発明によれば、ナースコールシステムは、ナースコール親機から入力された呼び出すべき端末の情報を入力順に記憶し、記憶したときの順序とは別の順序で情報を読み出し、情報を読み出す順番を定める規則を変更する構成とした。したがって、毎回同じ順番で端末を呼び出すのではなく、順番を変えて端末を呼び出すので、端末の呼び出しに対応する看護婦等の負荷を分散することができる。
【図面の簡単な説明】
【図１】本発明によるナースコールシステムの実施の一形態を示すブロック図である。
【図２】ナースコールインタフェース回路の実施の一形態を示すブロック図である。
【図３】アドレス変換の例を示す説明図である。
【図４】変換の前後でアドレスが変換しない変換則の例を示す説明図である。
【図５】アドレス変換回路の実施の一形態を示すブロック図である。
【符号の説明】
６    ナースコールインタフェース回路
２０  インタフェース回路
２１  記憶装置
２２  処理装置
２３  アドレス変換回路
２４  データバス
２５  アドレスバス
２６  制御バス
３０  アドレス選択部
３１  アドレス変換部
３２  順序変更制御部
【図１】
0003573027.tif 000002
【図２】
0003573027.tif 000003
【図３】
0003573027.tif 000004
【図４】
0003573027.tif 000005
【図５】
0003573027.tif 000006